(57)【要約】【課題】浜辺などでの持ち運びを容易にするとともに、サーフィン時における貴重品の紛失防止や撮影を実現するサーフボードを提供する。【解決手段】デッキ面２ａにはサーフボード本体２の重心Ｇに対して長手方向で略同一の位置に樹脂射出成型品の手掛ベース１０が埋設され、この手掛ベース１０にこれも樹脂射出成型品の物品収納ケース２０が嵌め込まれている。手掛ベース１０の後部には後方に突出した側方視で半円断面形状の指掛部１２が設けられており、サーフボード１を持ち運ぶ際に、サーファーが手指挿入用開口１１から差し込んだ指先をこの指掛部１２掛けられるようになっている。物品収納ケース２０は、手掛ベース１０に嵌り込んだ状態で、その上面がサーフボード本体２のデッキ面２ａと略面一となる。【選択図】図３
2017165371.tif 000002
【特許請求の範囲】
【請求項１】
サーフボード本体に埋め込まれ、手指挿入用開口および指掛部を有する手掛ベースと、
前記手指挿入用開口を開閉自在に塞ぐ蓋体と
を備えるサーフボード。
【請求項２】
前記手掛ベースは、前記サーフボード本体の重心に対し、長手方向で略同一の位置に設けられている、請求項１記載のサーフボード。
【請求項３】
前記蓋体は、前記手指挿入用開口に進退自在に嵌入する防水型の物品収納ケースである、請求項１または請求項２に記載のサーフボード。
【請求項４】
前記物品収納ケースは、
内蔵カメラのレンズを操作面側に有する携帯端末を、当該操作面が外側となる状態で収容する携帯端末収容部と、
前記携帯端末の操作面を覆う透明窓と、
前記内蔵カメラのレンズに対応する撮影角度調整手段と
を備える、請求項３記載のサーフボード。
【請求項５】
前記蓋体は、ヒンジを介して前記手掛ベースに開閉自在に連結されたリッドである、請求項１または請求項２に記載のサーフボード。
【請求項６】
デッキ面の前部に設けられた支持ベースと、
前記支持ベースに着脱自在に取り付けられ、内蔵カメラを有する携帯端末を収容するとともに、当該内蔵カメラのレンズに対応する撮影角度調整手段を有する防水型の携帯端末ケースと
を備えるサーフボード。
【発明の詳細な説明】
【技術分野】
【０００１】
本発明は、サーフィンに用いられるサーフボードに係り、浜辺などでの持ち運びを容易にする技術に関する。
【背景技術】
【０００２】
手軽な海上スポーツであるサーフィンは多くの人に親しまれており、用具としてのサーフボードにも種々の形状や大きさ（ロングボードやショートボード）が用いられている。通常、サーフボードは、ハンドシェープやマシンシェープ等によって成形した発泡樹脂製のブランクスに対し、ガラスクロスおよびレジンによるコーティング（ラミネート）を行うことで製造される。（特許文献１参照）
【先行技術文献】
【特許文献】
【０００３】
【特許文献１】特開２０１１−３７２９２号公報
【発明の概要】
【発明が解決しようとする課題】
【０００４】
サーフィンを行うに際し、サーファーは、自動車等で海の近くにある駐車場までサーフボードを運んだ後、脇に抱えエッジを掴んだ状態でサーフボードを浜辺まで持ち運ぶ。しかしながら、体格の小さな婦人や子供がロングボードを運ぶ時はもとより、男性がロングボードやショートボードを運ぶ時においても、エッジに添えた手が滑って落下させることがある。そして、サーフボードの落下地点に石等が存在した場合、ラミネートが傷ついてサーフィン中にブランクス内に海水が浸入したり、フィンが折れてサーフボードの安定性が大きく損なわれたりすることがある。
また、サーファーは、貴重品（自動車のキー等）を身に付けて（あるいは、自動車内のセキュリティーキーボックス等に収納して）サーフィンを行うが、海上での転倒時にこれを紛失したり、車上狙いによる窃盗にあったりする虞がある。
また、多くのサーファーにはサーフィン中の姿を動画等で撮影したいとの願望があるが、撮影機能を有するスマートフォンを片手で保持しながらでは、サーフィンを行うことが難しく危険でもあった。
【０００５】
本発明は、上記状況に鑑みなされたものであり、浜辺などでの持ち運びを容易にするとともに、サーフィン時における貴重品の紛失防止や撮影、メール等アプリの操作を実現するサーフボードを提供することを目的とする。
【課題を解決するための手段】
【０００６】
本発明のサーフボードは、サーフボード本体に埋め込まれ、手指挿入用開口および指掛部を有する手掛ベースと、前記手指挿入用開口を開閉自在に塞ぐ蓋体とを備える。
【０００７】
好適には、前記手掛ベースは、前記サーフボード本体の重心に対し、長手方向で略同一の位置に設けられている。
【０００８】
好適には、前記蓋体は、前記手指挿入用開口に進退自在に嵌入する防水型の物品収納ケースである。
【０００９】
好適には、前記物品収納ケースは、内蔵カメラのレンズを操作面側に有する携帯端末を、当該操作面が外側となる状態で収容する携帯端末収容部と、前記携帯端末の操作面を覆う透明窓と、前記内蔵カメラのレンズに対応する撮影角度調整手段とを備える。
【００１０】
好適には、前記蓋体は、ヒンジを介して前記手掛ベースに開閉自在に連結されたリッドである。
【００１１】
また、本発明のサーフボードは、デッキ面の前部に設けられた支持ベースと、前記支持ベースに着脱自在に取り付けられ、内蔵カメラを有する携帯端末を収容するとともに、当該内蔵カメラのレンズに対応する撮影角度調整手段を有する防水型の携帯端末ケースとを備える。
【発明の効果】
【００１２】
本発明によれば、手指挿入用開口から蓋体を待避させることで、手掛ベースの指掛部に指を掛けてサーフボードを安定して持ち運ぶことができる。また、手指挿入用開口を蓋体で塞ぐことで、サーファーが手掛ベースに足先を入れて転倒するようなことが防止できる。一方、蓋体を防水型の物品収納ケースとすれば、サーフィン中に貴重品を安全に持ち運ぶことができる。また、内蔵カメラを有する携帯端末をデッキ面に取り付けた携帯端末ケースに収容するものでは、サーフィン中のサーファーの姿を容易かつ安全に撮影したりアプリ（メール等）を操作したりもできる。
【図面の簡単な説明】
【００１３】
【図１】第１実施形態に係るサーフボードを斜め後方から見た図である。
【図２】第１実施形態に係るサーフボードを前後方向の中央で断面した図である。
【図３】第１実施形態に係る手掛ベースおよび物品収納ケースの縦断面図である。
【図４】第１実施形態に係る手掛ベースおよび物品収納ケースの斜視図である。
【図５】第１実施形態に係る物品収納ケースの開いた状態での斜視図である。
【図６】第１実施形態の物品収納ケースに自動車のキーを収納する手順を示す図である。
【図７】第１実施形態でサーファーがサーフボードを持ち運ぶ様子を示す図である。
【図８】第２実施形態に係る物品収納ケースの斜視図である。
【図９】第２実施形態に係る物品収納ケースにスマートフォンをセットする状態を示す斜視図である。
【図１０】第３実施形態に係る手掛ベースの斜視図である。
【図１１】第３実施形態でサーファーがサーフボードを持ち運ぶ様子を示す図である。
【図１２】第４実施形態に係るサーフボードを斜め後方から見た図である。
【図１３】第４実施形態に係る支持ベースを示す斜視図である。
【図１４】第４実施形態に係る携帯端末ケースを示す斜視図である。
【図１５】図１４中のＡ矢視図である。
【図１６】第４実施形態に係るサーフボードを用いたサーフィンの様子を示す図である。
【発明を実施するための形態】
【００１４】
以下、本発明のいくつかの実施形態を、図１〜図１６を用いて詳細に説明する。
【００１５】
［第１実施形態］
＜第１実施形態の構成＞
図１は、第１実施形態に係るサーフボードを斜め後方から見た図である。
図２は、第１実施形態に係るサーフボードを前後方向の中央で断面した図である。
【００１６】
図１，図２に示すように、サーフボード１は、発泡樹脂製のブランクス３に対してガラスクロスおよびレジンによるラミネート４を行うことで製造されたサーフボード本体２と、サーフボード本体２の下面（ボトム面２ｂ）に取り付けられたフィン５とからなるロングボードである。サーフボード本体２は、サーファーが乗るデッキ面２ａと、海面に接するボトム面２ｂと、デッキ面２ａとボトム面２ｂとを繋ぐエッジ２ｃとを有している。
【００１７】
デッキ面２ａにはサーフボード本体２の重心Ｇに対して長手方向で略同一の位置に樹脂射出成型品の手掛ベース１０が埋設され、この手掛ベース１０にこれも樹脂射出成型品の物品収納ケース２０が嵌め込まれている。
【００１８】
（手掛ベースおよび物品収納ケース）
図３は、第１実施形態に係る手掛ベースおよび物品収納ケースの縦断面図である。
図４は、第１実施形態に係る手掛ベースおよび物品収納ケースの斜視図である。
図５は、第１実施形態に係る物品収納ケースの開いた状態での斜視図である。
なお、手掛ベースおよび収容ケースの説明にあたっては、図４，図５に上下、前後、左右を矢印で示し、各部材や部位の位置や方向の記載をこれらに添って行う。
【００１９】
図３〜図４に示すように、手掛ベース１０は、上方に手指挿入用開口１１を有する箱形状を呈しており、ブランクス３に埋め込まれた状態で接着剤によって強固に固着されている。手掛ベース１０の後部には後方に突出した側方視で半円断面形状の指掛部１２が設けられており、サーフボード１を持ち運ぶ際に、サーファーが手指挿入用開口１１から差し込んだ指先をこの指掛部１２掛けられるようになっている。
【００２０】
手掛ベース１０の前壁には、サーファーが解除レバー２５（後述）を操作するための半円断面形状の凹部１３が上端中央に形成され、凹部１３の下方には解除レバー２５の爪部２５ａが係合するリセス１４が設けられている。また、手掛ベース１０の下端面には、リーシュコード３１（後述）を収容するコード収容部１５が形成されている。
【００２１】
物品収納ケース２０は、内部に収容スペース２１を有する矩形箱状を呈しており、上半部２２と下半部２３とに２分割されている。物品収納ケース２０は、手掛ベース１０に嵌り込んだ状態で、その上面がサーフボード本体２のデッキ面２ａと略面一となるとともに、手掛ベース１０の指掛部１２に嵌入する半円断面形状の凸部２０ａを有している。上半部２２と下半部２３とは、後端がヒンジ２４によって開閉自在に連結されるとともに、物品収納ケース２０の凸部２０ａを構成する円弧断面形状の凸部２２ａ，２３ａをそれぞれ有している。
【００２２】
上半部２２の前壁上端には下方に延びる板状の解除レバー２５が一体化されており、前述したように、この解除レバー２５の前面下端に突設された爪部２５ａが手掛ベース１０側のリセス１４に係合する。上半部２２の前壁下端には左右一対の係止片２７が形成されており、これら係止片２７が下半部２３側の係止突起（図示せず）に係合することで物品収納ケース２０が閉じた状態で保持される。なお、上半部２２の前壁における係止片２７近傍を押して撓ませることにより、係止片２７と係止突起との係合が解除されて物品収納ケース２０を開くことができる。
【００２３】
下半部２３の上端外周には防水シール２６が保持されており、物品収納ケース２０が閉じられた際に、この防水シール２６が上半部２２の下端外周に密着して水密を行う。
【００２４】
コード収容部１５（手掛ベース１０）の下壁と物品収納ケース２０の下壁とは、強靱かつ柔軟なリーシュコード３１（流失防止コード）によって連結されている。
【００２５】
＜第１実施形態の作用＞
図６は、第１実施形態の物品収納ケースに自動車のキーを収納する手順を示す図である。
図７は、第１実施形態でサーファーがサーフボードを持ち運ぶ様子を示す図である。
【００２６】
サーファーは、自動車等で海の近くにある駐車場までサーフボードを運んだ後、物品収納ケース２０の解除レバー２５を押し込み、爪部２５ａと手掛ベース１０のリセス１４との係合を解く、しかる後、サーファーは、図６（ａ）に示すように、指掛部１２内で凸部２０ａを回転させるようにして、物品収納ケース２０の前部を持ち上げて斜め上方に物品収納ケース２０を引き抜く。
【００２７】
物品収納ケース２０が外れたら、サーファーは、上半部２２の前壁における係止片２７近傍を押して撓ませ、係止片２７と係止突起との係合を解除させて物品収納ケース２０を開く。次に、サーファーは、図６（ｂ）に示すように、収容スペース２１内に自動車のキー３５を置き、上半部２２を閉じて係止片２７と係止突起とを再び係合させ、物品収納ケース２０が容易に開かないようにする。
【００２８】
次に、図７に示すように、サーファー４０は、物品収納ケース２０を外したまま、サーフボード１を脇に抱えて、手指挿入用開口１１から差し込んだ指先４１を指掛部１２に掛ける。これにより、サーファー４０は、サーフボード１を確実に保持できるようになり、持ち運ぶ際に不用意に落下させる虞が少なくなる。また、手掛ベース１０が長手方向でサーフボード１の重心と同位置にあるため、持ち運ぶ際のサーフボード１の傾きも抑制される。なお、物品収納ケース２０は、リーシュコード３１によってサーフボード１から吊り下げられたかたちとなるが、サーファー４０が徒歩でサーフボード１を持ち運ぶ間だけであることから、物品収納ケース２０を障害物や他者等にぶつける虞は少ない。
【００２９】
サーファーは、浜辺までサーフボード１を持ち運ぶと、外した時と逆の手順で手掛ベース１０に物品収納ケース２０を嵌め込む。すると、図３に示すように、解除レバー２５の爪部２５ａが手掛ベース１０側のリセス１４に係合し、物品収納ケース２０が確実に保持される。これにより、サーフィンは、自動車のキー３５の紛失等の心配をすることなく、安心してサーフィンを楽しむことができる。
【００３０】
［第２実施形態］
図８は、第２実施形態に係る物品収納ケースの斜視図である。
図９は、第２実施形態に係る物品収納ケースにスマートフォンをセットする状態を示す斜視図である。
【００３１】
第２実施形態は、上述した第１実施形態と略同様の構成を有しているが、物品収納ケースに、内蔵カメラのレンズを操作面側に有する携帯端末であるスマートフォンが収容される点が異なっている。図８に示すように、物品収納ケース２０の上半部２２には、上面にポリカーボネート等を素材とする透明窓５１と、撮影角度調整機構５２とが設けられている。図９に示すように、上半部２２には、スマートフォン５５が組み込め、操作面５６が透明窓５１に密着し、内蔵カメラのレンズ５７が撮影角度調整機構５２に対峙するようになっている。
【００３２】
第２実施形態では、このような構成を取ったことにより、サーファーは、スマートフォン５５を手に持つことなく、サーフィン中の動画の撮影やアプリ（メール等）の操作もできるようになる。また、下半部２３には収容スペース２１が存在するため、自動車のキー３５等を物品収納ケース２０に安全に収容することができる。なお、サーフィン中には細かな操作がしにくいため、スマートフォン５５には、操作画面に撮影ボタンやストップボタンなどを大きく表示させる専用アプリを搭載することが望ましい。
【００３３】
［第３実施形態］
図１０は、第３実施形態に係る手掛ベースの斜視図である。
図１１は、第３実施形態でサーファーがサーフボードを持ち運ぶ様子を示す図である。
【００３４】
第３実施形態は、以下に述べる点が第１，第２実施形態とは異なっている。すなわち、図１０に示すように、手掛ベース１０が物品収納ケースを兼ねるとともに、手掛ベース１０の上部前端にリッド６１が連結されている。手掛ベース１０とリッド６１とは樹脂射出成形による一体品であり、リッド６１は手掛ベース１０に対してヒンジ部６２を介して自由に開閉する。リッド６１は手掛ベース１０の手指挿入用開口１１に嵌り込む印籠部６３を有しており、この印籠部６３の外周には防水シール６４が嵌着している。
【００３５】
第３実施形態において、サーファーがサーフボード１を持ち運ぶ場合、図１１に示すように、リッド６１を開いた後、手指挿入用開口１１から差し込んだ指先４１を指掛部１２に掛ける。第３実施形態では、第１，第２実施形態に較べて構造が簡単になって製造コストが低下する他、取り扱いも容易になる等の利点がある。なお、第３実施形態において、手掛ベース１０とリッド６１との間にロック機構を設けるようにしてもよい。
【００３６】
［第４実施形態］
＜第４実施形態の構成＞
図１２は、第４実施形態に係るサーフボードを斜め後方から見た図である。
図１３は、第４実施形態に係る支持ベースを示す斜視図である。
図１４は、第４実施形態に係る携帯端末ケースを示す斜視図である。
図１５は、図１４中のＡ矢視図である。
【００３７】
図１２，図１３に示すように、第４実施形態は、ショートボード型のサーフボード１に樹脂の射出成型品の支持ベース７１を貼り付け、この支持ベース７１に携帯端末ケース７２を着脱自在に装着するものである。
【００３８】
（支持ベース）
支持ベース７１は、平板状のベース部７１ａと、ベース部７１ａの上面から立ち上がった左右一対のケース保持ラグ７１ｂ，７１ｃとからなっている。ベース部７１ａは、サーフボード１のデッキ面２ａに粘着力の強い両面粘着テープによって貼りつけられるが、サーフボード本体２のブランクスに埋め込むようにしてもよい。一方、ケース保持ラグ７１ｂ，７１ｃは、上部が左右に開いた逆Ｌ字断面を呈しており、後述する携帯端末ケース７２側のスロット部７２ｂ，７２ｃに嵌入する。
【００３９】
（携帯端末ケース）
図１４に示すように、携帯端末ケース７２は、高強度のエンジニアリングプラスチックを素材とする射出成型品であり、上面にポリカーボネート等を素材とする透明窓７３と、撮影角度調整機構７４とを備えた薄い箱状を呈している。携帯端末ケース７２内にはスマートフォン５５が収容され、スマートフォン５５の操作面５６が透明窓５１に密着し、内蔵カメラのレンズ５７が撮影角度調整機構５２に対峙するようになっている。なお、携帯端末ケース７２は、上下２分割のものを図示しないねじによって締結して組み立てられ、その内部は防水シールによって水密な状態に保持される。
【００４０】
図１５に示すように、携帯端末ケース７２の下面には、それぞれが内側に開いた左右一対のコ字断面形状のスロット部７２ｂ，７２ｃが前後方向に沿って形成されており、これらスロット部７２ｂ，７２ｃに支持ベース７１のケース保持ラグ７１ｂ，７１ｃが嵌入する。なお、支持ベース７１と携帯端末ケース７２との前後動を規制すべく、ストッパを設けていることが望ましい。
【００４１】
＜第４実施形態の作用＞
図１６は、第４実施形態に係るサーフボードを用いたサーフィンの様子を示す図である。
【００４２】
サーファー４０は、スマートフォン５５や携帯端末ケース７２で撮影時間や撮影角度等をセッティングした後、図１６に示すように、サーフボード１（支持ベース７１）に携帯端末ケース７２を装着してサーフィンを行う。これにより、サーファー４０は、スマートフォン５５を手で保持することなく、サーフィン中の動画を撮影することが可能となる。また、携帯端末ケース７２は、支持ベース７１を介してサーフボード１に対し平行な状態で強固に保持されるため、ドルフィンスルーやワイプアウト等によって撮影角度が変わったりすることが少ない。なお、第２実施形態と同様、本実施形態においても、スマートフォン５５に操作画面に撮影ボタンやストップボタンなどを大きく表示させる専用アプリを搭載することが望ましい。
【００４３】
以上で具体的実施形態の説明を終えるが、本発明の態様はこれらに限られるものではない。例えば、上記第１実施形態〜第３実施形態においてはデッキ面に手掛ベースを設けたが、手掛ベースをボトム面に設けるようにしてもよい。その他、手掛ベースや物品収納ケース、携帯端末ケース等の具体的構造や各部材の形状や素材等についても適宜変更可能である。
【産業上の利用可能性】
【００４４】
本発明に係るサーフボードは、海辺で行うサーフィンに効果的に利用できる。
【符号の説明】
【００４５】
１      サーフボード
２      サーフボード本体
２ａ    デッキ面
１０    手掛ベース
１１    手指挿入用開口
１２    指掛部
２０    物品収納ケース
５１    透明窓
５２    撮影角度調整機構
５５    スマートフォン
５６    操作面
５７    レンズ
６１    リッド
７１    支持ベース
７２    携帯端末ケース
７３    透明窓
７４    撮影角度調整機構
Ｇ      重心
【図１】
2017165371.tif 000003
【図２】
2017165371.tif 000004
【図３】
2017165371.tif 000005
【図４】
2017165371.tif 000006
【図５】
2017165371.tif 000007
【図６】
2017165371.tif 000008
【図７】
2017165371.tif 000009
【図８】
2017165371.tif 000010
【図９】
2017165371.tif 000011
【図１０】
2017165371.tif 000012
【図１１】
2017165371.tif 000013
【図１２】
2017165371.tif 000014
【図１３】
2017165371.tif 000015
【図１４】
2017165371.tif 000016
【図１５】
2017165371.tif 000017
【図１６】
2017165371.tif 000018